(57)【要約】【課題】乗用車の荷台に余裕を持って搭載できて携行が可能で、屋外などの広い場所ではほぼ国際規格サイズの長さの卓球台として使用でき、住居などの比較的狭い場所ではミニサイズの卓球台として使用でき、しかもピクニックなどでは卓球台としての使用の他、飲食等を行うテーブルとしても使用可能な卓球台を提供する。【解決手段】天板２と、これを支持する脚体３とから成る卓球台において、天板２は、長さ方向に三つに分割された分割板２１から成るものであり、卓球台として使用する際に、三枚または二枚の分割板２１を選択的に連接し、天板２の長さを変更可能としていることを特徴とする。また分割板２１ごとに個別に脚体３が備えられることを特徴とする。【選択図】        図１
0003140981.tif 000002
【実用新案登録請求の範囲】
【請求項１】
天板と、これを支持する脚体とから成る卓球台において、
前記天板は、長さ方向に三つに分割された分割板から成るものであり、卓球台として使用する際に、三枚または二枚の前記分割板を選択的に連接し、天板の長さを変更可能としていることを特徴とするサイズ変更可能な卓球台。
【請求項２】
請求項１に記載したサイズ変更可能な卓球台において、前記分割板ごとに個別に脚体が備えられることを特徴とするサイズ変更可能な卓球台。
【請求項３】
請求項１または２に記載したサイズ変更可能な卓球台において、前記三枚の分割板は同一寸法のものであることを特徴とするサイズ変更可能な卓球台。
【請求項４】
請求項２または３に記載したサイズ変更可能な卓球台において、前記三つの脚体は同一寸法のものであることを特徴とするサイズ変更可能な卓球台。
【請求項５】
請求項１から４のいずれかに記載したサイズ変更可能な卓球台において、前記分割板の裏面もしくは周端面には、取手が設けられていることを特徴とするサイズ変更可能な卓球台。
【請求項６】
請求項１から５のいずれかに記載したサイズ変更可能な卓球台において、前記脚体は、二本のロッドを中心で回動自在に接続し平面視X字状に拡開自在とするクロスフレームと、このクロスフレームの四つの端部に設けられ設置面に対し垂直な支持脚とから成ることを特徴とするサイズ変更可能な卓球台。
【考案の詳細な説明】
【技術分野】
【０００１】
本考案は卓球台に関するものであり、特に携行が可能で、設置箇所に応じてサイズ変更可能な卓球台に係るものである。
【背景技術】
【０００２】
従来の卓球台としては、天板の大きさで区分すると、公式競技の規格サイズである国際規格サイズ、これよりは小さい家庭普及用のファミリーサイズ、更に小さなサイズのミニサイズが主要サイズとしてある。
具体的な天板の寸法は、国際規格サイズは長さ２７４０mm、幅１５２０mmである。またファミリーサイズ及びミニサイズは特に決まった規定はないが、一般的にはファミリーサイズとして長さ２４００mm、幅１２００mm、ミニサイズとして長さ１８００mm、幅９００mmのものが流通されている。
一般に卓球台の天板は特許文献１の図１及び図４等に示すように２枚の分割板が連接されて構成される。また携行可能な卓球台としては、特許文献２の図１及び図２に示されるように、トランク状に折り畳めるものが発案されている。
【０００３】
国際規格サイズの卓球台は、卓球の醍醐味を味わうことができるが、一般家庭に置くには大きすぎるという問題点がある。またピクニックなどのリクレーション用に乗用車で持ち運ぶようなこともできない。
ファミリーサイズの卓球台は天板の長さが２４００mmと短いため、玉を強く打った場合には天板外に出てしまうことが多い。したがって、ラリー応酬が長く継続するいわゆるロングラリーを望むことができず、上級者や中級者にとって卓球の面白味が半減してしまう。またこのファミリーサイズも天板を構成する一枚の分割板が長さ１２００mm、幅１２００mmであるため、乗用車に搭載するのに非常に苦労するか、または搭載することができない。
前述した特許文献２の卓球台も含めミニサイズの卓球台は、ファミリーサイズの卓球台よりも更に小さいため、国際規格サイズの卓球台で行われる卓球と比べると別物の遊戯の感覚となってしまう。
【０００４】
【特許文献１】特開２００３−１９０３４６号公報
【特許文献２】特許第３１１５２２０号公報
【考案の開示】
【考案が解決しようとする課題】
【０００５】
本考案は上述したような問題点を考慮してなされたものであり、乗用車の荷台に余裕を持って搭載できて携行が可能で、屋外などの広い場所ではほぼ国際規格サイズの長さの卓球台として使用でき、住居などの比較的狭い場所ではほぼミニサイズの卓球台として使用でき、しかもピクニックなどでは卓球台としての使用の他、飲食等を行うテーブルとしても使用可能な卓球台を提供することを課題とするものである。
【課題を解決するための手段】
【０００６】
本考案は上記課題を解決するためになされたものであり、請求項１の考案は、天板と、これを支持する脚体とから成る卓球台において、
前記天板は、長さ方向に三つに分割された分割板から成るものであり、卓球台として使用する際に、三枚または二枚の前記分割板を選択的に連接し、天板の長さを変更可能としていることを特徴とするサイズ変更可能な卓球台である。
【０００７】
請求項２の考案は、前記分割板ごとに個別に脚体が備えられることを特徴とするサイズ変更可能な卓球台である。
【０００８】
請求項３の考案は、前記三枚の分割板は同一寸法のものであることを特徴とするサイズ変更可能な卓球台である。
【０００９】
請求項４の考案は、前記三つの脚体は同一寸法のものであることを特徴とするサイズ変更可能な卓球台である。
【００１０】
請求項５の考案は、前記分割板の裏面もしくは周端面には、取手が設けられていることを特徴とするサイズ変更可能な卓球台である。
【００１１】
請求項６の考案は、前記脚体は、二本のロッドを中心で回動自在に接続し平面視X字状に拡開自在とするクロスフレームと、このクロスフレームの四つの端部に設けられ設置面に対し垂直な支持脚とから成ることを特徴とするサイズ変更可能な卓球台である。
【考案の効果】
【００１２】
本考案のサイズ変更可能な卓球台によれば、天板が三つの分割板から成るため、天板の長さがほぼ国際規格サイズであっても、ワゴン車等の荷台に容易に搭載することができ、あらゆる場所に携行が可能である。そして屋外などの広い場所では、天板を三枚連接することにより、ほぼ国際規格サイズの長さの卓球台として使用できる。一方、住居などの比較的狭い場所では、天板を二枚連接することにより、ミニサイズの卓球台として使用できる。そして天板一枚で飲食等を行うテーブルとしても使用可能である。
【００１３】
分割板ごとに個別に脚体を備えた場合、分割板と脚体とを一対ずつ分離して、合計三台のテーブルとして使用可能である。
【００１４】
三つの分割板を同一寸法で構成した場合、部材の共通化により、製造コストを低減することが可能である。またユーザー側としても組み立てが簡単になる。
【００１５】
三つの脚体を同一寸法で構成した場合、部材の共通化により、製造コストを低減することが可能である。またユーザー側としても組み立てが簡単になる。
【００１６】
分割板の裏面もしくは周端面に取手を設けた場合には、持ち運びが容易となる。
【００１７】
脚体をクロスフレームと、このクロスフレームの四つの端部に設けられ設置面に対し垂直な支持脚とから構成した場合、脚体の組み立てが容易である。また脚体を構成する部材のほとんどが、天板の周端部下方に位置していないため、卓球を行っている最中に脚体に足がぶつかることが防止される。
【考案を実施するための最良の形態】
【００１８】
本考案の実施の形態に係るサイズ変更可能な卓球台を図面にしたがって説明する。
図中符号１で示すものが、本考案に係るサイズ変更可能な卓球台であり、このものは、天板２と、脚体３とから成る。
【００１９】
天板２について詳細に説明する。天板２は長さ方向に三つに分割された分割板２１から成る。三枚の分割板２１を連接した天板２の長さは２７００mmで、横幅は１０２０mmである。国際公式規格サイズの長さが２７４０ｍｍで、横幅が１５２０ｍｍのため、長さはほぼ国際公式規格サイズと同一で、横幅が国際公式規格サイズの約７０％のサイズである。
三枚の分割板２１全てが同一サイズであり、一枚の分割板２１のサイズは、長さは９００ｍｍ、横幅は１０２０ｍｍである。裏面の四つの角には、図３及び図５に示すように脚体３を嵌合するための受入口２２aを有した脚保持具２２が設けられるとともに、持ち運ぶ際の利便を考慮した取手２３が設けられる。分割板２１の上面にはメラミン樹脂がコーティング塗装され、水拭きも可能で傷に強く耐久性にも優れる。
【００２０】
脚体３は、二本のロッドをそれぞれの中心で回動自在に接続し平面視X字状に拡開自在なクロスフレーム３２と、このクロスフレーム３２の四つの端部に固定される支持脚３１とから成る。クロスフレーム３２の接続はボルト３３と蝶ナット３４とにより行われている。支持脚３１は設置面に対し垂直に位置され、上下端に保護キャップ３１aが備えられる。支持脚３１の上端は、図５に示されるように前記天板２の下面の脚保持具２２の受入口２２aに嵌合される。三つの脚体３は、一例として脚体３ごとに例えば黄色、緑及び赤などと色分けすると意匠性を高めることができる。
なお支持脚３１を連結しているクロスフレーム３２は、例えば上下二つ設けるようにしても良い。
【００２１】
本考案に係るサイズ変更可能な卓球台１を一例として以上のように構成するもので、以下にこの使用態様について説明する。
（１）組立前
組立前の状態では、図３及び図４に示されるように天板２と脚体３とは分離された状態であり、脚体３も図４（ｂ）に示されるように拡開されずに閉じた状態である。このような状態では、サイズ変更可能な卓球台１は非常にコンパクトであり、例えばワゴン車の荷台にも余裕を持って搭載することができる。収納に場所を取らないため、贈答品としても適している。
また持ち運びの際に天板２に取手２３が設けられているため、持ち運びがしやすい。
【００２２】
（２）組立
分割板２１三枚で、サイズ変更可能な卓球台１を組み立てする場合には、蝶ナット３４を緩めてクロスフレーム３２を平面視X字状に拡開して、三つの脚体３を並べて設置する。そして三つの脚体３の上部に対し、分割板２１三枚を設置する。
設置するにあたっては、分割板２１の裏面の脚保持具２２の受入口２２aに対し脚体３の各支持脚３１上部を嵌合させる。その後クロスフレーム３２の蝶ナット３４を締め、クロスフレーム３２を拡開した状態で固定する。そして分割板２１三枚を隙間がないように位置調整した後、天板２の中央両端にネットサポートSを取り付け、ネットNを張設する。
以上のようにサイズ変更可能な卓球台１を簡単に組み立てすることができる。
なお分割板２１二枚でサイズ変更可能な卓球台１を組み立てする場合には、任意の分割板２１二枚と、脚体３二つを用いて、上述した分割板２１三枚のサイズ変更可能な卓球台１のように組み立てするものである。
【００２３】
（３）卓球台としての使用（分割板三枚）
図１（ａ）に示されるように分割板２１三枚を用いてサイズ変更可能な卓球台１を組み立てた場合には、長さが２７００mmで、ほぼ国際規格サイズと同じであり、卓球の中級や上級者にも十分満足のできるいわゆるラリー応酬が持続するロングラリーが可能となる。脚体３はX字状に拡開されるクロスフレーム３２を用いたものであるため、プレイの最中に脚体に足がぶつかることが防止される。
【００２４】
（４）卓球台としての使用（分割板二枚）
住居で使用する場合のように、上述したような分割板２１三枚では邪魔となってしまう場合などには、図１（ｂ）に示されるように分割板２１二枚でサイズ変更可能な卓球台１を構成し、卓球を楽しむことができる。
【００２５】
（５）テーブルとしての使用
またピクニックに行った際などには、サイズ変更可能な卓球台１を卓球台として用いる他、三台の独立したテーブルとして使用することが可能となる(図２参照)。天板２は、メラミン樹脂がコーティング塗装されているため、食事等をこぼしても容易に拭き取ることが可能である。
【００２６】
以上、本考案の実施の形態について詳述してきたが、具体的構成は、この実施の形態に限られるものではなく、本考案の要旨を逸脱しない範囲における設計の変更などがあっても考案に含まれる。
例えば、分割板２１の連接箇所の裏面には、ジョイント金具４を取り付けて分割板２１の間に生じる段差を容易に解消できるようにしておいてもよい。図６に示すものは、一方の分割板２１に矩形状の金属板４１を設け、他方の分割板２１にこの金属板４１が嵌挿される角管４２を設けたものである。符号４３で示すものは、角管４２に嵌挿された金属板４１を固定するための固定ノブ４３である。なお天板２、脚体３及びジョイント金具４の剛性が十分であるならば、例えば中央の分割板２１の脚体３は省略することも可能である。ジョイント金具４としては、上述した構成のものの他、多様なジョイント金具を用いることができるものである。
【００２７】
天板２と支持脚３１との連結は、ロック機構によりロックするようにしても良い。例えば図７に示すものは天板２に脚保持具２２の他例である短寸のパイプ材２４を設け、ここに支持脚３１の上端を嵌挿して、互いのピン孔２４a、３１ｂが合致した状態で固定ピン３５を差し込み固定するようにしたものである。
【００２８】
天板２に段差が生じないように、各分割体の設置高さを調節自在としておいてもよい。図８に示すものは、支持脚３１の下端に雌ネジを設けるとともに、これに螺合される雄ネジ３６ａを有したアジャスター３６を設けたものである。
【００２９】
図９に示すものは、二つの脚体３で三枚の分割板２１を支持する改変案である。すなわち支持脚３１の二本に対し、中央の分割板２１を支持するための中央支持脚３７をそれぞれ取り付けている。なお中央支持脚３７の取り付けは、支持脚３１に対しスイングアーム３８によって回動自在に取り付けている。これによって分割板２１二枚でサイズ変更可能な卓球台１を組み立てる場合には、中央支持脚３７が邪魔とならないように天板２中心側に退避させることができるものである。
【産業上の利用可能性】
【００３０】
本考案は卓球台の産業分野、レジャー玩具の産業分野及びレジャーテーブル等を提供する産業分野において利用可能である。
【図面の簡単な説明】
【００３１】
【図１】本考案の実施の形態に係るサイズ変更可能な卓球台について、分割板を三枚連接した場合と、二枚連接した場合とを併せて示す斜視図である。
【図２】本考案の実施の形態に係るサイズ変更可能な卓球台をテーブルに転用した実施の形態を示す斜視図である。
【図３】分割板を示す斜視図である。
【図４】脚体を拡開した状態と、折り畳んだ状態とを示す斜視図である。
【図５】天板の脚保持具に対し、支持脚が嵌合された状態を示す縦断側面図である。
【図６】分割板の連接箇所にジョイント金具を設けたその他の実施の形態を示す正面図である。
【図７】天板と支持脚との連結をロック機構によりロックするようにしたその他の実施の形態を示す縦断面図である。
【図８】支持脚の下端にアジャスターを設けたその他の実施の形態を示す正面図である。
【図９】二つの脚体により三枚の天板を支持するその他の実施の形態を示す正面図である。
【符号の説明】
【００３２】
１…サイズ変更可能な卓球台
２…天板        ２１…分割板        ２２…脚保持具
２２a…受入口        ２３…取手        ２４…パイプ材
２４a…ピン孔
３…脚体        ３１…支持脚        ３１a…保護キャップ
３１b…ピン孔        ３２…クロスフレーム        ３３…ボルト
３４…蝶ナット        ３５…固定ピン        ３６…アジャスター
３６a…雄ネジ        ３７…中央支持脚        ３８…スイングアーム
４…ジョイント金具        ４１…金属板        ４２…角管
４３…固定ノブ
S…ネットサポート        N…ネット
【図１】
0003140981.tif 000003
【図２】
0003140981.tif 000004
【図３】
0003140981.tif 000005
【図４】
0003140981.tif 000006
【図５】
0003140981.tif 000007
【図６】
0003140981.tif 000008
【図７】
0003140981.tif 000009
【図８】
0003140981.tif 000010
【図９】
0003140981.tif 000011